(57)【要約】【課題】電子機器において、入力確認のための音の出力に限らず、単語の学習に効果的な音声機能を実現する。【解決手段】タッチパネル式表示部１６に対するタッチ操作が行われる毎に、ユーザが出力対象として予め設定した学習対象の単語（例えば英単語）に対応する発音“dictionary”が、順次特定されて音声出力部１５（１５ｓ，１５ｅ）から出力されるので、タッチ操作の入力確認ができるのは勿論、ユーザは無意識のうちに何度も単語の発音を聴いて日本語の意味を考えたりしていくうちに自然に単語の語彙力を向上できるようになる。【選択図】      図１
2016206548.tif 000002
【特許請求の範囲】
【請求項１】
学習対象である単語の音声データを記憶している単語音声記憶手段と、
当該機器に対するタッチ操作を検出するタッチ操作検出手段と、
前記タッチ操作検出手段によりタッチ操作が検出された際に前記単語音声記憶手段に記憶されている単語の音声データを操作音として出力する操作音出力手段と、
を備えたことを特徴とする電子機器。
【請求項２】
音声を出力するモードを設定する出力モード設定手段を備え、
前記操作音出力手段は、前記タッチ操作検出手段によりタッチ操作が検出された際、前記出力モード設定手段により音声を出力するモードが設定されている場合に、前記単語音声記憶手段に記憶されている単語の音声データを操作音として出力する、
ことを特徴とする請求項１に記載の電子機器。
【請求項３】
前記操作音出力手段は、前記タッチ操作検出手段によりタッチ操作が検出された際に、当該タッチ操作に応じて文字が入力された場合は、前記単語音声記憶手段に記憶されている単語の音声データの中から前記入力された文字を先頭に有する単語の音声データを操作音として出力する、
ことを特徴とする請求項１または請求項２に記載の電子機器。
【請求項４】
前記出力モード設定手段は、時間設定手段とコンテンツ設定手段とを有し、前記時間設定手段により設定された時間または前記コンテンツ設定手段により設定されたコンテンツまたは前記設定された時間とコンテンツの組み合わせに応じて音声を出力するモードを設定する、
ことを特徴とする請求項２に記載の電子機器。
【請求項５】
タッチ操作を検出するタッチ操作検出手段を有する電子機器のコンピュータを制御するためのプログラムであって、
前記コンピュータを、
学習対象である単語の音声データを取得する単語音声取得手段、
前記タッチ操作検出手段によりタッチ操作が検出された際に前記単語音声取得手段により取得された単語の音声データを操作音として出力する操作音出力手段、
として機能させるためのプログラム。
【発明の詳細な説明】
【技術分野】
【０００１】
本発明は、単語の学習に効果的な電子機器およびその制御プログラムに関する。
【背景技術】
【０００２】
現在の電子辞書は、カラー画面，音声機能，タッチパネルを搭載したモデルが主流となっている。前記音声機能では、英単語や英文の音声をスピーカ／イヤフォンによってユーザが聞くことができるので、外国語の学習に役立つ。前記タッチパネルでは、画面に表示された項目を選択したり、画面への直接の書き込みをしたり、画面をフリックして表示内容をスクロールさせたりといった機能を実現する。
【０００３】
前記タッチパネルへの入力は、ユーザによるタッチ入力が当該タッチパネルに実際に認識されたかが分かり易いように、同タッチパネルへタッチする度に「ピッ」と操作音が鳴るように設定できるものが多い。
【０００４】
従来、タッチパネルを搭載した多機能機であって、機械的に構成されるハードキーの操作音量とタッチパネルに表示されるタッチパネルキーの操作音量とを適切に設定できるようにした装置が考えられている（例えば、特許文献１参照。）。
【０００５】
また、従来の辞書機能を備えた電子装置であって、タッチパネル式の画面に表示させた例文の文字列をペンタッチすると、当該ペンタッチされた例文の音声データが読み出されて再生される装置が考えられている（例えば、特許文献２参照。）。
【先行技術文献】
【特許文献】
【０００６】
【特許文献１】特開２０１０−１４１５１４号公報
【特許文献２】特開２０１０−０８５７２７号公報
【発明の概要】
【発明が解決しようとする課題】
【０００７】
従来の電子機器において、キーやタッチパネル等の操作音は、何れの機器でも殆どが同じような電子音であり、入力の確認としての役割を持たせているに過ぎない。
【０００８】
本発明は、このような課題に鑑みなされたもので、入力確認のための音の出力に限らず、単語の学習に効果的な音声機能を実現することが可能になる電子機器およびその制御プログラムを提供することを目的とする。
【課題を解決するための手段】
【０００９】
本発明に係る電子機器は、学習対象である単語の音声データを記憶している単語音声記憶手段と、当該機器に対するタッチ操作を検出するタッチ操作検出手段と、前記タッチ操作検出手段によりタッチ操作が検出された際に前記単語音声記憶手段に記憶されている単語の音声データを操作音として出力する操作音出力手段と、を備えたことを特徴としている。
【発明の効果】
【００１０】
本発明によれば、入力確認のための音の出力に限らず、単語の学習に効果的な音声機能を実現することが可能になる。
【図面の簡単な説明】
【００１１】
【図１】本発明の電子機器の実施形態に係る電子辞書１０の外観構成を示す斜視図。
【図２】前記電子辞書１０に表示される操作音設定メニューＭを示す図。
【図３】前記電子辞書１０の電子回路の構成を示すブロック図。
【図４】前記電子辞書１０の記憶装置２２に記憶される単語帳データ２２ｃと学習単語集データ２２ｄの一例を示す図。
【図５】前記電子辞書１０の第１実施形態の制御処理を示すフローチャート。
【図６】前記電子辞書１０の第１実施形態の制御処理に伴う禁止操作判断処理を示すフローチャートであり、同図（Ａ）は音声を出力してはいけない操作を判断する禁止操作判断処理（１）を示すフローチャート、同図（Ｂ）は音声を出力する操作を判断する禁止操作判断処理（２）を示すフローチャート。
【図７】前記電子辞書１０の第２実施形態に係る制御処理を示すフローチャート。
【図８】前記電子辞書１０の第２実施形態の制御処理に対応してタッチパネル式表示部１６に表示される見出し語検索のための検索文字入力画面Ｇを示す図。
【図９】前記電子辞書１０の第３実施形態に係るモード管理処理を示すフローチャート。
【図１０】前記電子辞書１０のモード管理処理に伴い記憶される設定データを示す図であり、同図（Ａ）はＯｎ時刻設定データ２６ｂを示す図、同図（Ｂ）は対象コンテンツ設定データ２６ｃを示す図、同図（Ｃ）はＯｎ／Ｏｆｆフラグ設定データ２６ｄを示す図。
【発明を実施するための形態】
【００１２】
以下図面により本発明の実施の形態について説明する。
【００１３】
図１は、本発明の電子機器の実施形態に係る電子辞書１０の外観構成を示す斜視図である。
【００１４】
この電子辞書１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００１５】
この電子辞書１０は、その本体ケース１１と蓋体ケース１２とがヒンジ部１３を介して開閉可能な折り畳み型ケースを備えて構成される。この折り畳み型ケースを展開した本体ケース１１の表面にはキー入力部１４、スピーカ１５ｓが備えられ、またその側面にはイヤフォン１５ｅが接続される。
【００１６】
前記キー入力部１４には、検索語の入力など文字を入力するための文字入力キーのほか、各種の辞書を含む機能を選択項目として表記したメニュー画面を表示させるための［Ｍｅｎｕ］キー、入力された検索語や選択された項目を決定するための［決定］キー、動作状態を１ステップずつ元に戻すための［戻る］キーなどが設けられる。
【００１７】
また、前記蓋体ケース１２の表面には、そのほぼ全面に渡ってバックライト付きのタッチパネル式表示部１６が設けられる。このタッチパネル式表示部１６は、ユーザがペンＰや指等でタッチした位置を検出するタッチ位置検出装置と表示装置が一体となった構造であり、そのバックライト付きカラー液晶表示画面に透明タッチパネルを重ねて構成される。
【００１８】
前記電子辞書１０は、前記タッチパネル式表示部１６に対してペンＰ等によるタッチ操作が行われた際に、当該タッチ操作の検出に応じて予め設定された英語等の単語の発音を前記スピーカ１５ｓやイヤフォン１５ｅから出力することで、ユーザに意識させずに単語を学習させる機能を有する。図１は、タッチパネル式表示部１６に対するタッチ操作に応じて、例えば、単語帳に登録された英単語の発音“dictionary”が出力された状態を示している。
【００１９】
図２は、前記電子辞書１０に表示される操作音設定メニューＭを示す図である。
【００２０】
前記操作音設定メニューＭは、前記タッチパネル式表示部１６に対するタッチ操作を行なった際に、その操作音を出力するか否かの設定、当該操作音を出力する設定とした場合はその操作音を単なる操作確認のための電子音（タッチ音）とするか又は操作確認と学習のための単語の発音とするかを設定するためのメニューである。
【００２１】
例えば、図２に示すように、操作音設定メニューＭは、操作音の出力をＯｎまたはＯｆｆにする項目「Ｏｎ／Ｏｆｆ」と、Ｏｎとした場合の「タッチ音」「単語発音」からなる二者択一の選択項目と、「単語発音」が選択された場合にどのような種類の単語を発音させるかを設定する「ユーザ登録単語」「初級単語」「中級単語」「上級単語」からなる四者択一の選択項目と、これらの設定内容を確定させるための［設定］ボタンＢｓとを有する。
【００２２】
図３は、前記電子辞書１０の電子回路の構成を示すブロック図である。
【００２３】
この電子辞書１０は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２４】
このＣＰＵ２１は、記憶装置２２内に予め記憶された辞書制御プログラム２２ａを、ＲＡＭ２６を作業用メモリとして実行し、回路各部の動作を制御する。なお、辞書制御プログラム２２ａは、ＲＯＭカードなどの外部記録媒体２３から記録媒体読み取り部２４を介して前記記憶装置２２に読み込ませたり、あるいはインターネットＮ上のＷｅｂサーバ（この場合はプログラムサーバ）３０から通信部２５を介して前記記憶装置２２に読み込ませたりしてもよい。
【００２５】
前記記憶装置２２に記憶された辞書制御プログラム２２ａは、キー入力部１４、タッチパネル式表示部１６からのユーザ操作に応じた入力信号、あるいは通信部２５を介して接続されるインターネットＮ上の各Ｗｅｂサーバ３０…との通信信号に応じて起動される。
【００２６】
このように、前記ＣＰＵ２１には、前記記憶装置２２、記録媒体読み取り部２４、通信部２５、ＲＡＭ２６、キー入力部１４、音声出力部１５（スピーカ１５ｓ，イヤフォン１５ｅ）、タッチパネル式表示部１６が接続される。
【００２７】
前記記憶装置２２に記憶される辞書制御プログラム２２ａとしては、当該電子辞書１０の全体の動作を司るシステムプログラム、通信部２５を介してインターネットＮ上の各Ｗｅｂサーバ３０…や図示しない外部ＰＣ(Personal Computer)などとデータ通信するための通信プログラム等が記憶される。また、前記辞書制御プログラム２２ａとして、検索語入力処理、検索語に対応した見出し語検索処理、検索見出し語（単語）の一覧表示処理、指定された見出し語（単語）に対応する語義・発音・品詞・例文などの各種の項目からなる説明情報の読み出し表示処理、タッチパネル式表示部１６に対するタッチ操作の検出に応じた学習対象言語である英語等の単語の発音出力処理など、同記憶装置２２内の辞書データベース２２ｂ、単語帳データ２２ｃ、学習単語集データ２２ｄに基づく検索・読み出し・表示・発音処理全般を制御するためのプログラムが記憶される。
【００２８】
前記辞書データベース２２ｂには、例えば、日本語の各見出し語（単語）とその説明情報とを対応付けて集録した国語辞書、外国語（英語等）の各見出し語（単語）とその説明情報に当該見出し語および説明情報中の例文の発音の音声データを対応付けて集録した英和辞書、独和辞書、仏和辞書、中日辞書等、各種の辞書が予め記憶されるか外部から読み込まれて記憶される。
【００２９】
図４は、前記電子辞書１０の記憶装置２２に記憶される単語帳データ２２ｃと学習単語集データ２２ｄの一例を示す図である。
【００３０】
前記単語帳データ２２ｃとしては、前記辞書データベース２２ｂに記憶された各辞書の見出し語のうち、ユーザが学習対象として登録操作した見出し語（単語）のデータが当該辞書毎に記憶される。図４（Ａ）は前記英和辞書に対応付けられた単語帳データ２２ｃの一例を示している。
【００３１】
前記学習単語集データ２２ｄとしては、例えば図４（Ｂ）に示すように、初級編、中級編、上級編に分けられた英単語学習コンテンツのデータが記憶されるもので、前記英和辞書に集録された各見出し語のうち、アルファベット順にその初級レベルの単語と中級レベルの単語と上級レベルの単語とに分けて記憶される。
【００３２】
そして、前記単語帳データ２２ｃと前記学習単語集データ２２ｄの初級単語と中級単語と上級単語とは、前記操作音設定メニューＭ（図２参照）の選択項目の選択に従い発音対象の単語の種類に設定される。
【００３３】
前記ＲＡＭ２６には、表示データメモリ２６ａが確保され、この表示データメモリ（表示バッファ）２６ａには、前記タッチパネル式表示部１６に表示させる表示データがビットマップパターンに展開されて記憶される。
【００３４】
このように構成された電子辞書１０は、前記ＣＰＵ２１が前記辞書制御プログラム２２ａ（検索語入力処理、見出し語検索処理、見出し語一覧表示処理、指定見出し語の説明情報表示処理、タッチ操作に応じた単語発音出力処理等を実行するためのプログラムを含む）に記述された命令に従い回路各部の動作を制御し、ソフトウエアとハードウエアとが協働して動作することにより、以下の動作説明で述べる機能を実現する。
【００３５】
次に、前記構成による電子辞書１０の動作について説明する。
【００３６】
（第１実施形態）
図５は、前記電子辞書１０の第１実施形態の制御処理を示すフローチャートである。
【００３７】
キー入力部１４の［Ｍｅｎｕ］キーの操作に応じて表示されたメニュー画面から「操作音モード設定」の項目が選択されると（ステップＳ１（Ｙｅｓ））、図２で示したように、操作音設定メニューＭがタッチパネル式表示部１６に表示される（ステップＳ２）。
【００３８】
前記操作音設定メニューＭにおいては、タッチの際の音を出すか出さないか、出す場合には電子音にするか単語の発音にするかの出力モードの設定と、単語発音とした場合の対象単語を何にするか（学習対象）の設定ができる。すなわち、出力モードの設定項目「Ｏｎ／Ｏｆｆ」がタッチされると、タッチ操作の都度、当該出力モードがＯｎモードまたはＯｆｆモードに切り換えられて設定される（ステップＳ５（Ｙｅｓ），Ｓ６）。
【００３９】
また、操作音を電子音（タッチ音）とする場合は、設定項目「タッチ音」をタッチして選択し、操作音を単語とする場合は、設定項目「単語発音」をタッチして選択すると、この出力モードも設定される（ステップＳ５（Ｙｅｓ），Ｓ６）。そして、前記「単語発音」を選択した場合は、４種類の単語の設定項目「ユーザ登録単語」「初級単語」「中級単語」「上級単語」の何れかをタッチして選択することができる（ステップＳ３（Ｙｅｓ），Ｓ４）。
【００４０】
この後、［設定］ボタンＢｓがタッチ操作されると、前記操作音の出力モードと当該操作音の種類の設定が終了し、設定された内容がＲＡＭ２６に登録される（ステップＳ７（Ｙｅｓ））。
【００４１】
そして、本電子辞書１０の通常の動作中に、前記タッチパネル式表示部１６に対するタッチ操作が検出されると（ステップＳ８（Ｙｅｓ））、前記設定された操作音の出力モードがＯｎモードであるか否か判断され（ステップＳ９）、Ｏｎモードではない（Ｏｆｆモードである）場合は（ステップＳ９（Ｎｏ））、無音のまま前記タッチ操作に応じた内容の処理が実行される（ステップＳ１５）。
【００４２】
一方、前記タッチパネル表示部１６に対するタッチ操作が検出された際に（ステップＳ８（Ｙｅｓ））、Ｏｎモードである場合は（ステップＳ９（Ｙｅｓ））、音の種類がタッチ音に設定されているか否（単語発音）か判断される（ステップＳ１０）。
【００４３】
タッチ音に設定されている場合は（ステップＳ１０（Ｙｅｓ））、電子音（ピッ）が音声出力部１５（１５ｓ，１５ｅ）から出力され（ステップＳ１１）、前記タッチ操作に応じた内容の処理が実行される（ステップＳ１５）。
【００４４】
単語発音に設定されている場合は（ステップＳ１０（Ｎｏ））、後述の禁止操作判断処理（１）あるいは（２）（図６参照）に従い、前記タッチ操作が発音禁止の操作であるか否か判断される（ステップＳ１２）。
【００４５】
前記タッチ操作が発音禁止の操作である場合は（ステップＳ１２（Ｙｅｓ））、前記Ｏｎモードであっても無音のまま当該タッチ操作に応じた内容の処理が実行される（ステップＳ１５）。
【００４６】
前記タッチ操作が発音禁止の操作ではない場合は（ステップＳ１２（Ｎｏ））、前記設定された単語発音の種類に応じて特定された単語（ユーザ登録単語／初級単語／中級単語／上級単語）に対応する音声データが前記辞書データベース２２ｂから読み出され音声出力部１５（１５ｓ，１５ｅ）から出力される（ステップＳ１３）。
【００４７】
ここで、前記設定された単語発音の種類がユーザ登録単語である場合は、前記単語帳データ２２ｃ（図４（Ａ）参照）に登録されている単語が先頭から順に出力対象の単語に特定されて音声出力され、当該特定単語が次の単語に更新される（ステップＳ１４）。また、前記設定された単語発音の種類が、初級単語／中級単語／上級単語である場合は、前記学習単語集データ２２ｄ（図４（Ｂ）参照）に記憶されている初級単語または中級単語または上級単語が、何れもその先頭から順に出力対象の単語に特定されて音声出力され、当該特定単語が次の単語に更新される（ステップＳ１４）。
【００４８】
そして、前記タッチ操作に応じた内容の処理が実行される（ステップＳ１５）。
【００４９】
これにより、前記タッチパネル式表示部１６に対するタッチ操作が行われる毎に、ユーザが出力対象として予め設定した学習対象の単語（例えば英単語）に対応する発音が、順次特定されて音声出力部１５から出力されるので、タッチ操作の入力確認ができるのは勿論、ユーザは無意識のうちに何度も単語の発音を聴いて日本語の意味を考えたりしていくうちに自然に単語の語彙力を向上することができる。
【００５０】
図６は、前記電子辞書１０の第１実施形態の制御処理に伴う禁止操作判断処理を示すフローチャートであり、同図（Ａ）は音声を出力してはいけない操作を判断する禁止操作判断処理（１）を示すフローチャート、同図（Ｂ）は音声を出力する操作を判断する禁止操作判断処理（２）を示すフローチャートである。
【００５１】
前記禁止操作判断処理（１）では、前記タッチパネル式表示部１６にて検出されたタッチ操作の対象が、例えば、表示されている単語，熟語，例文等に対応付けられてその音声を出力させるために表記されている音声マークであるか判断し（ステップＡ１）、見出し語検索されて表示された見出し語一覧から所望の見出し語を指定する操作であるかを判断する（ステップＡ２）。これらのタッチ操作は、ユーザが指定した単語等の音声を聞きたいとか、単語の意味を知りたい場合であるので、関係のない単語の発音を操作音として出力してはいけないと判断する（ステップＳ１２（Ｙｅｓ））。
【００５２】
これによれば、ユーザが意識して聴こうとしている音声を出力させるためのタッチ操作のタイミングでは、当該操作音の出力は禁止されるので、ユーザ所望の動作に邪魔になる音声の出力を未然に防止できる。
【００５３】
前記禁止操作判断処理（２）では、前記タッチパネル式表示部１６にて検出されたタッチ操作の内容が、例えば音声を出力させるための内容とは関係のない、項目選択のタッチ操作であるか、あるいは、ページ送りの操作であるかを判断する（ステップＢ１，Ｂ２）。したがって、ここでは、操作音としての音声を出力してよい前記操作以外を発音禁止操作であると判断する（ステップＳ１２（Ｎｏ））。
【００５４】
これによれば、ユーザが意識して音声を出力させるための操作内容とは関係のないタッチ操作のタイミングで、前記予め設定された特定単語の音声を出力できるので、ユーザにとって邪魔にならないタイミングで繰り返し意識せずに学習対象の単語音声を聴くことができる。
【００５５】
なお、前記禁止操作判断処理（１）（２）を組み合わせて、操作音の出力禁止または出力の判断処理（ステップＳ１２（Ｙｅｓ／Ｎｏ））を行なうことで、禁止操作とそうではない操作とを更に明確にしてより適切なタイミングで前記タッチ操作に応じた特定単語の音声出力を実行できる。
【００５６】
（第２実施形態）
図７は、前記電子辞書１０の第２実施形態に係る制御処理を示すフローチャートである。
【００５７】
この第２実施形態に係る制御処理（操作音出力処理）は、例えば、前記第１実施形態の制御処理（図５参照）におけるステップＳ１２とＳ１５との間に並列に加えて実行する。
【００５８】
図８は、前記電子辞書１０の第２実施形態の制御処理に対応してタッチパネル式表示部１６に表示される見出し語検索のための検索文字入力画面Ｇを示す図である。
【００５９】
この検索文字入力画面Ｇは、ユーザ所望の見出し語に対応した検索文字列をタッチ操作により入力するための表示キーボードＫｓと、当該表示キーボードＫｓにより入力された検索文字列が順次表示される検索文字入力エリアＡｃとを有する。
【００６０】
すなわち、前記タッチパネル式表示部１６に対するタッチ操作が検出された際に（ステップＳ８（Ｙｅｓ））、前記設定された操作音の出力モードがＯｎモードであって（ステップＳ９（Ｙｅｓ））、前記設定された操作音の種類がタッチ音ではなく単語発音であり（ステップＳ１０（Ｎｏ））、当該タッチ操作が禁止操作ではない場合に（ステップＳ１２（Ｎｏ））、前記表示キーボードＫｓの文字キーに対するタッチ操作であると判断されると（ステップＣ１（Ｙｅｓ））、前記設定された単語発音の種類である単語帳２２ｃまたは学習単語集（初級単語または中級単語または上級単語）２２ｄの中から、当該キー入力された文字で始まる単語に対応した音声データが読み出され音声出力部１５から出力される（ステップＣ２）。
【００６１】
前記図８で示す例は、前記単語音声の種類が前記学習単語集（２２ｄ）の初級単語（図４（Ｂ）参照）に設定されている場合であって、前記表示キーボードＫｓの［Ａ］に対するタッチ操作に応じて当該［Ａ］で始まる初級単語“apple”の発音が出力された例である。
【００６２】
なお、前記第２実施形態は、表示キーボードｋｓに対するタッチ操作に応じてキー入力された文字で始まる特定単語の発音を出力させる構成としたが、前記キー入力部１４に備えられた文字入力キーの操作に応じて、前記同様にキー入力された文字で始まる特定単語の発音を出力させる構成としてもよい。
【００６３】
この第２実施形態によれば、文字入力キーの操作に応じて当該キー入力された文字で始まる単語の発音が出力されるので、タッチ操作の入力確認ができるのは勿論、各種の項目の文字での選択や文字列の書き込みといったキー操作に応じて、ユーザは無意識のうちに何度もしかも入力された文字で始まる単語の発音を聴いて、自然に単語を学習できるようになる。
【００６４】
（第３実施形態）
この第３実施形態では、前記操作音の出力モード（Ｏｎ／Ｏｆｆ）を、任意あるいは予め設定された時刻やコンテンツに応じて管理する。
【００６５】
図９は、前記電子辞書１０の第３実施形態に係るモード管理処理を示すフローチャートである。
【００６６】
図１０は、前記電子辞書１０のモード管理処理に伴い記憶される設定データを示す図であり、同図（Ａ）はＯｎ時刻設定データ２６ｂを示す図、同図（Ｂ）は対象コンテンツ設定データ２６ｃを示す図、同図（Ｃ）はＯｎ／Ｏｆｆフラグ設定データ２６ｄを示す図である。
【００６７】
前記各設定データ２６ｂ〜２６ｄは、例えば、前記第１実施形態の制御処理（図５参照）におけるステップＳ５，Ｓ６での処理に代って設定されるもので、図１０（Ａ）に示すように、Ｏｎ時刻設定データ２６ｂには、前記出力モードをＯｎモードにしたい開始時刻と終了時刻が設定され、また、図１０（Ｂ）に示すように、対象コンテンツ設定データ２６ｃには、前記辞書データベース２２ｂに記憶されている複数種類の辞書コンテンツうち前記出力モードをＯｎモードにしたい辞書コンテンツが設定される。
【００６８】
そして、図１０（Ｃ）に示すように、Ｏｎ／Ｏｆｆフラグ設定データ２６ｄには、前記モード管理処理（図９参照）に従い、現在時刻が前記Ｏｎ時刻設定データ２６ｂの開始時刻から終了時刻までの間にある場合に時間フラグ“１”（Ｏｎモード）が設定され、それ以外の時刻にある場合に時間フラグ“０”（Ｏｆｆモード）が設定される（ステップＤ１〜Ｄ５）。また、現在選択中の辞書コンテンツが前記対象コンテンツ設定データ２６ｃに設定されている辞書コンテンツである場合にコンテンツフラグ“１”（Ｏｎモード）が設定され、それ以外の辞書コンテンツである場合にコンテンツフラグ“０”（Ｏｆｆモード）が設定される（ステップＤ６〜Ｄ９）。
【００６９】
ここで、前記Ｏｎ時刻設定データ２６ｂに設定される出力モードをＯｎモードにしたい開始時刻と終了時刻は、例えば学校や職場において音を出してもよい時間［８：００〜９：００］に合わせて設定され、また、前記対象コンテンツ設定データ２６ｃに設定される出力モードをＯｎモードにしたい辞書コンテンツは、例えば辞書引き操作中でも英単語に関係のない辞書コンテンツ［百科事典／国語辞典／歴史辞典／…等］が設定される。
【００７０】
なお、前記複数種類の辞書コンテンツは、複数種類の機能コンテンツとして読み替えてもよい。この場合、例えばある機能コンテンツの動作中でも単語学習に関係のない機能コンテンツ［電卓／百ます計算／漢検ドリル／…等］が設定される。
【００７１】
この第３実施形態によれば、ユーザ任意の時間やコンテンツに応じて前記タッチ操作に対応した単語発音のＯｎモードを設定できるので、ユーザにとって要／不要あるいは効果的なタイミングをきめ細かく管理して邪魔にならず且つより自然に単語を学習できるようになる。
【００７２】
なお、前記各実施形態では、１回のタッチ操作に応じて１つの単語を発音する構成としたが、１回のタッチ操作に応じて複数の単語を発音したり、あるいは単語ではなく当該単語の例文などの文章を発音したりする構成としてもよい。
【００７３】
したがって、前記構成の電子辞書１０による操作音出力機能によれば、タッチパネル式表示部１６にタッチ操作する度に英単語等の外国語の単語が発音されるので、ユーザは当該電子辞書１０の使用に際して何度も行なうことになる項目選択や手書きの書き込み操作のタイミングで自然に単語の発音を聴くことができる。そしてこの場合、前記電子辞書１０の操作を止めるわけでもなく、また無視しても問題なく邪魔にならないので、何度も単語の発音を聴くことになり、無意識に頭の中で日本語の意味を考えたりして行くうちに、英単語の語彙力が向上して行く効果がある。
【００７４】
しかも、前記構成の電子辞書１０による操作音出力機能によれば、当該電子辞書１０そのものを使用することが条件になるので、参考書で勉強するときや当該電子辞書１０でも外国語学習コンテンツを使うときのように身構える必要もなく、普通に電子辞書１０を使っているだけで気軽に外国語の勉強をすることができる効果がある。
【００７５】
なお、前記各実施形態において記載した電子辞書１０による各処理の手法、すなわち、図５のフローチャートに示す第１実施形態の制御処理、図６のフローチャートに示す禁止操作判断処理（１）（２）、図７のフローチャートに示す第２実施形態に係る操作音出力処理、図９のフローチャートに示す第３実施形態に係るモード管理処理等の各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の外部記録装置の媒体（２３）に格納して配布することができる。そして、辞書データベース（２２ｂ）およびタッチパネル式表示部（１６）を備えた電子機器のコンピュータ（制御装置）は、この外部記録装置の媒体（２３）に記憶されたプログラムを記憶装置（２２）に読み込み、この読み込んだプログラムによって動作が制御されることにより、前記各実施形態において説明した操作音出力機能を実現し、前述した手法による同様の処理を実行することができる。
【００７６】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを辞書データベース（２２ｂ）およびタッチパネル式表示部（１６）を備えた電子機器に取り込んで記憶装置（２２）に記憶させ、前述した操作音出力機能を実現することもできる。
【００７７】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７８】
以下に、本願出願の当初の特許請求の範囲に記載された発明を付記する。
【００７９】
［１］
学習対象である単語の音声データを記憶している単語音声記憶手段と、
当該機器に対するタッチ操作を検出するタッチ操作検出手段と、
前記タッチ操作検出手段によりタッチ操作が検出された際に前記単語音声記憶手段に記憶されている単語の音声データを操作音として出力する操作音出力手段と、
を備えたことを特徴とする電子機器。
【００８０】
［２］
音声を出力するモードを設定する出力モード設定手段を備え、
前記操作音出力手段は、前記タッチ操作検出手段によりタッチ操作が検出された際、前記出力モード設定手段により音声を出力するモードが設定されている場合に、前記単語音声記憶手段に記憶されている単語の音声データを操作音として出力する、
ことを特徴とする［１］に記載の電子機器。
【００８１】
［３］
前記操作音出力手段は、前記タッチ操作検出手段によりタッチ操作が検出された際に、当該タッチ操作に応じて文字が入力された場合は、前記単語音声記憶手段に記憶されている単語の音声データの中から前記入力された文字を先頭に有する単語の音声データを操作音として出力する、
ことを特徴とする［１］または［２］に記載の電子機器。
【００８２】
［４］
前記出力モード設定手段は、時間設定手段とコンテンツ設定手段とを有し、前記時間設定手段により設定された時間または前記コンテンツ設定手段により設定されたコンテンツまたは前記設定された時間とコンテンツの組み合わせに応じて音声を出力するモードを設定する、
ことを特徴とする［２］に記載の電子機器。
【００８３】
［５］
タッチ操作を検出するタッチ操作検出手段を有する電子機器のコンピュータを制御するためのプログラムであって、
前記コンピュータを、
学習対象である単語の音声データを取得する単語音声取得手段、
前記タッチ操作検出手段によりタッチ操作が検出された際に前記単語音声取得手段により取得された単語の音声データを操作音として出力する操作音出力手段、
として機能させるためのプログラム。
【符号の説明】
【００８４】
１０  …電子辞書
１４  …キー入力部
１５  …音声出力部
１６  …タッチパネル式表示部
２１  …ＣＰＵ
２２  …記憶装置
２２ａ…辞書制御プログラム
２２ｂ…辞書データベース
２２ｃ…単語帳データ
２２ｄ…学習単語集データ
２３  …外部記録媒体
２４  …記録媒体読み取り部
２５  …通信部
２６  …ＲＡＭ
２６ａ…表示データメモリ
２６ｂ…Ｏｎ時刻設定データ
２６ｃ…対象コンテンツ設定データ
２６ｄ…Ｏｎ／Ｏｆｆフラグ設定データ
３０  …Ｗｅｂサーバ
Ｎ  …通信ネットワーク
Ｍ  …操作音設定メニュー
Ｐ  …タッチペン
【図１】
2016206548.tif 000003
【図２】
2016206548.tif 000004
【図３】
2016206548.tif 000005
【図４】
2016206548.tif 000006
【図５】
2016206548.tif 000007
【図６】
2016206548.tif 000008
【図７】
2016206548.tif 000009
【図８】
2016206548.tif 000010
【図９】
2016206548.tif 000011
【図１０】
2016206548.tif 000012